(57)【要約】【課題】筐体内の電波が外部に漏洩することを防ぐことが可能な読取装置を提供する。【解決手段】物品に付されたＲＦＩＤタグから情報を読み取る読取装置であって、前記物品の出入口となる開口部を有するとともに、その内部に前記物品を収納するための収納室を有する筐体と、前記開口部を開閉するための扉と、前記扉の閉状態時に当該扉と接する又は近接する前記筐体の部位に設けられ、前記扉の開閉を検出する検出部と、前記筐体の内部に設けられ、前記扉の閉状態時に前記収納室に収納された前記物品の前記ＲＦＩＤタグから情報を読み取るアンテナと、前記検出部が設けられる部位において、前記筐体の内部から外部へ漏洩する電波を遮蔽する遮蔽部と、を備える。【選択図】図３
2018014034.tif 000002
【特許請求の範囲】
【請求項１】
物品に付されたＲＦＩＤタグから情報を読み取る読取装置であって、
前記物品の出入口となる開口部を有するとともに、その内部に前記物品を収納するための収納室を有する筐体と、
前記開口部を開閉するための扉と、
前記扉の閉状態時に当該扉と接する又は近接する前記筐体の部位に設けられ、前記扉の開閉を検出する検出部と、
前記筐体の内部に設けられ、前記扉の閉状態時に前記収納室に収納された前記物品の前記ＲＦＩＤタグから情報を読み取るアンテナと、
前記検出部が設けられる部位において、前記筐体の内部から外部へ漏洩する電波を遮蔽する遮蔽部と、
を備える読取装置。
【請求項２】
前記検出部に対向する前記筐体の部位に、前記検出部が前記扉の開閉を検出するための第１の穴が設けられ、
前記遮蔽部は、電波反射材又は電波吸収材で形成された、前記筐体の内部から前記検出部及び前記第１の穴を覆う構造体である請求項１に記載の読取装置。
【請求項３】
前記遮蔽部には、前記検出部に接続されるワイヤハーネスが通過する第２の穴が設けられ、
前記ワイヤハーネスと前記第２の穴との間隙に導電性材料が充填される請求項２に記載の読取装置。
【請求項４】
前記遮蔽部には、前記検出部に接続されるワイヤハーネスが通過するための第２の穴が設けられ、
前記第１の穴及び前記第２の穴は、共に長穴で形成され、前記第１の穴の正面から見て前記長穴の長辺が互いに直交するよう配置される請求項２に記載の読取装置。
【請求項５】
前記検出部は、前記扉に設けられたマグネットの磁場を検出する磁気センサであり、
前記遮蔽部は、電波反射材又は電波吸収材で形成された、前記磁気センサに対向する前記筐体の壁面である請求項１に記載の読取装置。
【発明の詳細な説明】
【技術分野】
【０００１】
本発明の実施形態は、読取装置に関する。
【背景技術】
【０００２】
従来、ＲＦＩＤタグ（無線タグ）に記憶された情報を読み取る読取装置が存在し、様々な用途・形態で使用されている。例えば、従来、収納容器に収納されたＲＦＩＤタグの情報だけを読み取るため、側壁が電波吸収材で覆われた収納容器にＲＦＩＤタグを収納し、当該収納容器を載置する載置台に設けたアンテナを介して情報を読み取る読取装置が提案されている。
【０００３】
ところで、上記した従来の構成では収納容器の載置位置がアンテナからずれると、当該アンテナからの電波は収納容器の周辺にも及ぶため、収納容器外のＲＦＩＤタグが電波に反応する可能性がある。そこで、アンテナ（載置台）を筐体（収納容器）内に収納し、この筐体を扉等により開閉可能とすることで、アンテナの電波が及ぶ範囲を筐体内に制限する構成が考えられる。係る構成では、扉の開閉を検出する検出部を備えることで、読み取り開始や停止の制御に利用することができる。検出部は、例えばメカニカルスイッチや光センサを用いる場合、閉状態において扉に接する又は扉に近接する筐体上の部位に設けられることが一般的である。
【０００４】
しかしながら、上記した検出部が設けられる筐体上の部位には、開閉検出用の穴等が設けられることが一般的であるため、当該部位から筐体内の電波が外部に漏れ出す可能性があった。
【発明の概要】
【発明が解決しようとする課題】
【０００５】
本発明が解決しようとする課題は、筐体内の電波が外部に漏洩することを防ぐことが可能な読取装置を提供することである。
【課題を解決するための手段】
【０００６】
実施形態の読取装置は、物品に付されたＲＦＩＤタグから情報を読み取る読取装置であって、筐体と、扉と、検出部と、アンテナと、遮蔽部とを備える。筐体は、前記物品の出入口となる開口部を有するとともに、その内部に前記物品を収納するための収納室を有する。扉は、前記開口部を開閉する。検出部は、前記扉の閉状態時に当該扉と接する又は近接する前記筐体の部位に設けられ、前記扉の開閉を検出する。アンテナは、前記筐体の内部に設けられ、前記扉の閉状態時に前記収納室に収納された前記物品の前記ＲＦＩＤタグから情報を読み取る。遮蔽部は、前記検出部が設けられる部位において、前記筐体の内部から外部へ漏洩する電波を遮蔽する。
【図面の簡単な説明】
【０００７】
【図１】図１は、第１の実施形態に係る書類読取装置の構成を示す外観斜視図である。
【図２】図２は、第１の実施形態に係る読取部の概略構成を示す外観斜視図である。
【図３】図３は、第１の実施形態に係る開閉検出機構の概略構成を示す図である。
【図４】図４は、第１の実施形態に係る本体部及び読取部のハードウェア構成を示すブロック図である。
【図５】図５は、第１の実施形態に係る本体部及び読取部の機能的構成を示すブロック図である。
【図６】図６は、第１の実施形態に係る本体部及び読取部の動作例を説明するためのフローチャートである。
【図７】図７は、第２の実施形態に係る読取部の概略構成を示す外観斜視図である。
【図８】図８は、第２の実施形態に係る開閉検出機構の概略構成を示す図である。
【図９】図９は、第２の実施形態に係る開閉検出機構の概略構成を示す図である。
【図１０】図１０は、第３の実施形態に係る読取部の概略構成を示す外観斜視図である。
【図１１】図１１は、第３の実施形態に係る開閉検出機構の概略構成を示す図である。
【発明を実施するための形態】
【０００８】
［第１の実施形態］
図１は、第１の実施形態に係る書類読取装置１の構成を示す外観斜視図である。書類読取装置１は、伝票や入場券、書籍、免許証、パスポート等の書類Ｄ１に付されたＲＦＩＤ（Radio  Frequency  IDentifier）タグＴ１を読み取るための装置である。書類読取装置１は、例えば机上等に設置されて用いられる。なお、図１では、読取部１０の後述する扉１２を開けた開状態を示している。
【０００９】
書類読取装置１は、本体部２と、本実施形態の読取装置に対応する読取部１０とを備える。本体部２は、タッチパネル３ａが表面に配設されたディスプレイ３ｂを備えている。ディスプレイ３ｂとしては例えば液晶表示器が用いられる。
【００１０】
読取部１０は、書類Ｄ１に付されたＲＦＩＤタグＴ１から情報を読み取ったり、当該ＲＦＩＤタグＴ１に情報を書き込んだりすることが可能なリーダライタ装置である。本実施形態では、ＲＦＩＤタグＴ１は、当該ＲＦＩＤタグＴ１が付された書類Ｄ１を識別する書類コード等の情報を記憶しているものとする。
【００１１】
読取部１０は、図示しないケーブル等により本体部２に接続される。読取部１０は、ＲＦＩＤタグＴ１から読み取った書類コード等の各種の情報を、有線又は無線により本体部２に出力（送信）する。なお、本実施形態では、本体部２と読取部１０とを別体としたが、これに限らず、一体的に構成してもよい。
【００１２】
また、ＲＦＩＤタグＴ１には、後述する登録済フラグを書き込むための記憶領域が用意されているものとする。登録済フラグの有無は、例えば、書類読取装置１が設置されたフロアの出入り口に設置されたゲートでチェックされ、登録済フラグがないものはブザー等の報知手段により警告が行われる。
【００１３】
以下、読取部１０について説明する。図２は、読取部１０の概略構成を示す外観斜視図である。図２（ａ）は、読取部１０の扉１２を開けた開状態を示し、図２（ｂ）は、読取部１０の扉１２を閉じた閉状態を示している。
【００１４】
読取部１０は、読取部１０の主たる外装を構成する筐体１１と、筐体１１に設けられた開口部１３を開閉するための扉１２とを有する。筐体１１は、略箱型の形状を備え、横幅寸法よりも奥行寸法が大きい、奥行方向に長いプロポーションを有する。筐体１１は、本体部２と一体的に設けられてもよいし、本体部２（書類読取装置１）から着脱可能な構成としてもよい。
【００１５】
扉１２は、本体部２の右方前面に設けられたヒンジ（図示せず）によって開閉可能に取り付けられている。扉１２は、開口部１３（収納室１４）を開閉する。扉１２には、開閉レバー１２１が取り付けられている。ユーザは、開閉レバー１２１を把持して扉１２の開閉を行う。
【００１６】
開口部１３は、複数の書類Ｄ１を一度に通過させることが可能な大きさを有する。また、筐体１１は、その内部に複数の書類Ｄ１を収容することが可能な大きさの収納室１４を有する。ユーザは、扉１２を開状態とすることで、筐体１１の開口部１３を通じて、収納室１４の内部に書類Ｄ１を入れたり、収納室１４から書類Ｄ１を出したりすることができる。なお、書類Ｄ１は、木製やガラス等の絶縁性（電波透過性）の部材で形成された収納容器に収納した状態で、収納室１４内に入れてもよい。
【００１７】
収納室１４内において、書類Ｄ１は、収納室１４の底面となる載置面１５上に載置される。載置面１５は、木製やガラス等の絶縁性（電波透過性）の板状部材で構成され、筐体１１の底面と所定の間隙を有して支持されている。また、載置面１５を除いた収納室１４内の壁面は、電波を反射する部材（電波反射材）で形成される。係る部材としては、金属やモールド材、フェライト等の公知・公用の電波反射材を用いることができる。
【００１８】
また、載置面１５と筐体１１の底面との間の空間には、平面状のＲＦＩＤアンテナ１６や図示しない回路基板等が設けられる。ＲＦＩＤアンテナ１６は、ＵＨＦ帯等の電波を出射することで、収納室１４内に存在するＲＦＩＤタグＴ１、つまり収納室１４に収納された各書類Ｄ１に付されているＲＦＩＤタグＴ１と交信を行う。また、ＲＦＩＤアンテナ１６は、後述するリーダライタ部４１と協働することで、扉１２の閉状態時に電波を出射する。
【００１９】
筐体１１（収納室１４）及び扉１２の壁面は、筐体１１（収納室１４）内の電波が外部に漏洩すること及び外部の電波が筐体１１（収納室１４）内に侵入することを防ぐため、電波反射材又は電波を吸収する部材（電波吸収材）で形成される。係る部材としては、金属やモールド材、フェライト等の公知・公用の電波反射材又は電波吸収材を用いることができる。
【００２０】
また、扉１２の閉状態時に当該扉１２と接する又は近接する筐体１１の部位には、扉１２の開閉状態を検知するための開閉検出機構２０が設けられる。より詳細には、開閉検出機構２０は、扉１２の閉状態において、この扉１２に接する又は近接する筐体１１の部位（縁部）と、当該縁部に対向する扉１２の部位とに設けられる。以下、図２（ａ）及び図３を参照して、開閉検出機構２０の構成について説明する。
【００２１】
図３は、開閉検出機構２０の概略構成を示す図である。ここで、図３は、開閉検出機構２０を図２のＸ方向から見た部分断面図を示している。
【００２２】
図３に示すように、開閉検出機構２０は、扉１２の開閉状態を検出する後述する開閉検出部４２として、スイッチ２１を備える。スイッチ２１は、例えばプッシュスイッチやタクタイルスイッチ等、モーメンタリ動作を行うメカニカルスイッチである。スイッチ２１は、筐体１１の内側に設けられ、図示しない回路基板とワイヤハーネス２２により接続される。また、筐体１１には、スイッチ２１に対向する位置に、当該スイッチ２１のプッシュ部２１１に応じた大きさの穴２３が設けられている。
【００２３】
一方、扉１２の筐体１１側の壁面には、閉状態において筐体１１の穴２３（スイッチ２１）に対向する位置に凸部２４が形成されている。凸部２４は、穴２３よりも小さな径を有し、扉１２の閉状態においてスイッチ２１のプッシュ部２１１を押下することが可能な高さを有する。
【００２４】
上記の構成において、扉１２が閉じられると、扉１２の凸部２４は、図中矢印方向（左方向）に移動し、穴２３を通じてプッシュ部２１１を押下することで、スイッチ２１をオンとする。また、扉１２が開けられると、扉１２の凸部２４は、図中右方向に移動し、プッシュ部２１１の押下を解除することで、スイッチ２１をオフとする。スイッチ２１は、凸部２４によるオン／オフの切り替えに基づき、扉１２の開閉状態を検出する。具体的には、スイッチ２１は、オフからオンに切り替わったことを条件に、扉１２の閉状態を示す信号を、ワイヤハーネス２２を介して回路基板に出力する。また、スイッチ２１は、オンからオフに切り替わったことを条件に、扉１２の開状態を示す信号を、ワイヤハーネス２２を介して回路基板に出力する。
【００２５】
ところで、上記の構成では、ＲＦＩＤアンテナ１６からの電波が筐体１１の穴２３を通じて、筐体１１（読取部１０）の外部に漏洩する可能性がある。また、筐体１１（読取部１０）の外部の電波が、筐体１１の穴２３を通じて、筐体１１（読取部１０）の内部に侵入する可能性がある。このような、電波の漏洩及び侵入は、自他の読取装置において、ＲＦＩＤタグＴ１の誤読や誤動作等の発生要因となる。
【００２６】
そこで、本実施形態の開閉検出機構２０は、スイッチ２１が設けられる部位において、筐体１１の内部から外部へ漏洩する電波及び筐体１１の外部から内部へ侵入する電波を遮蔽する遮蔽部を備える。
【００２７】
具体的には、開閉検出機構２０は、遮蔽部として、スイッチ２１及び穴２３の周囲を覆うカバー部２５（構造体）を備える。カバー部２５は、電波反射材又は電波吸収材で形成され、ネジ止めや溶接等により筐体１１の内壁に隙間なく接続される。なお、図３（図２）では、カバー部２５の形状を箱状としたが、これに限らず、ドーム状等としてもよい。
【００２８】
また、カバー部２５には、ワイヤハーネス２２を通すための穴２６が設けられる。ここで、穴２６の大きさは特に問わず、例えばワイヤハーネス２２の径に応じた大きさとしてもよい。なお、ワイヤハーネス２２と穴２６との間の間隙は、電波（電磁）シールド性を有する導電性材料で充填することが好ましい。係る導電性材料としては、金属メッシュや発泡金属等を用いることができる。これにより、穴２６を通じて、漏洩及び侵入する電波を防ぐことができる。
【００２９】
上記構成の読取部１０によれば、ユーザは、収納室１４に複数の書類Ｄ１を収容することで、それら書類Ｄ１の各々に付されたＲＦＩＤタグＴ１を一括で読み取ることができる。また、ＲＦＩＤアンテナ１６が読み取りを行う収納室１４を、ユーザが存在する空間から隔離することで、読み取りの最中に書類Ｄ１が抜き取られたり、書類Ｄ１が追加される等の不正な操作が行われたりすることを抑制することができる。
【００３０】
また、収納室１４の内面を電波反射材で覆い、読取部１０の外面（筐体１１及び扉１２）を電波反射材や電波吸収材で覆うことで、筐体１１内の電波が外部に漏洩すること、筐体１１外の電波が内部に侵入することを防ぐことができる。また、スイッチ２１及び穴２３の周囲を、電波反射材や電波吸収材のカバー部２５で覆うことで、このスイッチ２１が設けられた部位において、筐体１１内から漏洩及び筐体１１外から侵入する電波を防ぐことができる。
【００３１】
これにより、読取部１０では、ＲＦＩＤアンテナ１６の電波が及ぶ範囲を筐体１１内に制限することができるため、筐体１１内の電波が外部のＲＦＩＤタグＴ１に影響してしまうことを防ぐことができる。また、読取部１０では、収納室１４を外部の電波から遮蔽することができるため、ＲＦＩＤタグＴ１の誤読や誤動作等の発生を防ぐことができる。
【００３２】
次に、書類読取装置１のハードウェア構成について説明する。図４は、本体部２及び読取部１０のハードウェア構成を示すブロック図である。
【００３３】
本体部２は、ＣＰＵ（Central  Processing  Unit）、ＲＯＭ（Read  Only  Memory）及びＲＡＭ（Random  Access  Memory）等から構成されるコンピュータ構成の制御部３０を備える。ＲＯＭは、ＣＰＵが実行する各種プログラムや各種データを記憶する。ＲＡＭは、ＣＰＵが各種プログラムを実行する際に一時的にデータやプログラムを記憶するものである。
【００３４】
制御部３０には、各種の入出力回路（図示せず）を介して、タッチパネル３ａ及びディスプレイ３ｂが接続される。
【００３５】
また、制御部３０には、各種の入出力回路（図示せず）を介して、記憶部３１及び通信Ｉ／Ｆ３２等が接続される。
【００３６】
記憶部３１は、ＨＤＤ（Hard  Disk  Drive）やＳＳＤ（Solid  State  Drive）等の不揮発性の記憶媒体を備えた記憶装置である。記憶部３１は、本体部２の動作に係る各種プログラムや各種データを記憶する。また、記憶部３１は、読取部１０で読み取られた書類コードを記憶する。なお、記憶部３１は、書類コードと関連付けて、当該書類コードに係る書類Ｄ１や当該書類Ｄ１を所持するユーザ等の情報を対応付けたデータベース等のデータテーブル（以下、テーブルという）を記憶してもよい。通信Ｉ／Ｆ３２は、読取部１０との間で各種データの送受信を行うためのインタフェースである。
【００３７】
一方、読取部１０は、ＣＰＵ、ＲＯＭ及びＲＡＭ等から構成されるコンピュータ構成の制御部４０を備える。ＲＯＭは、ＣＰＵが実行する各種プログラムや各種データを記憶する。ＲＡＭは、ＣＰＵが各種プログラムを実行する際に一時的にデータやプログラムを記憶するものである。
【００３８】
また、制御部４０には、各種の入出力回路（図示せず）を介して、リーダライタ部４１、開閉検出部４２、記憶部４３及び通信Ｉ／Ｆ４４等が接続される。
【００３９】
リーダライタ部４１は、ＲＦＩＤアンテナ１６を駆動することで、ＲＦＩＤタグＴ１の読み取り及び書き込みするための変調波（電波）を発信させる。リーダライタ部４１は、ＲＦＩＤアンテナ１６を介してＲＦＩＤタグＴ１から読み取った各種の情報（例えば書類コード等）を制御部４０に出力する。また、リーダライタ部４１は、書き込み対象の情報（例えばフラグ情報等）を、ＲＦＩＤアンテナ１６を介して出力することで、ＲＦＩＤタグＴ１に当該情報の書き込みを行う。
【００４０】
開閉検出部４２は、例えば、扉１２の開閉状態を検出するスイッチ２１である。開閉検出部４２の検出結果は制御部４０に出力される。記憶部４３は、ＨＤＤやＳＳＤ等の不揮発性の記憶媒体を備えた記憶装置である。記憶部４３は、読取部１０の動作に係る各種プログラムや各種データを記憶する。通信Ｉ／Ｆ４４は、本体部２との間で各種データの送受信を行うためのインタフェースである。なお、読取部１０が備える制御部４０、リーダライタ部４１、記憶部４３及び通信Ｉ／Ｆ４４は、図示しない回路基板上に実装されている。
【００４１】
次に、書類読取装置１の機能的構成について説明する。図５は、本体部２及び読取部１０の機能的構成を示すブロック図である。
【００４２】
本体部２の制御部３０（ＣＰＵ）は、記憶部３１に記憶されたプログラムと協働することで、表示制御部３０１と、入力受付部３０２と、通信制御部３０３と、書類登録部３０４とを機能部として実現する。
【００４３】
表示制御部３０１は、ディスプレイ３ｂを制御し、当該ディスプレイ３ｂに各種画面を表示させる。例えば、表示制御部３０１は、書類コード（ＲＦＩＤタグＴ１）の読み取り開始を指示させるための操作子（以下、読取開始ボタンという）や、読み取り終了を指示させるための操作子（以下、読取終了ボタンという）を含んだ画面を表示させる。なお、記憶部３１にテーブルが記憶されている場合には、表示制御部３０１は、読取部１０から送信された書類コードに対応する情報をテーブルから読み出し、その情報をディスプレイ３ｂに表示させてもよい。
【００４４】
入力受付部３０２は、タッチパネル３ａを介した操作入力を受け付ける。例えば、入力受付部３０２は、ディスプレイ３ｂに表示された操作画面において、操作子が操作（タッチ操作）された場合に、その操作子に対応する指示情報を制御部３０に出力する。
【００４５】
通信制御部３０３は、通信Ｉ／Ｆ３２を制御し、当該通信Ｉ／Ｆ３２を介して読取部１０との間で各種の情報を送受信する。例えば、通信制御部３０３は、読取開始ボタンが操作されると、読取開始を指示する指示情報を読取部１０に送信する。また、通信制御部３０３は、読取部１０から送信された書類コードを受信する。また、通信制御部３０３は、読取終了ボタンが操作されると、読取終了を指示する指示情報を読取部１０に送信する。また、通信制御部３０３は、書類登録部３０４による販売登録が完了すると、登録完了を指示する指示情報を読取部１０に送信する。
【００４６】
書類登録部３０４は、読取部１０から送信された書類コードを記憶部３１の所定領域に記憶することで、、読み取り済みの書類コードとして登録を行う。具体的に書類登録部３０４は、通信制御部３０３が受信した書類コードを、その受信が行われた日時等とともに登録用の記憶領域（例えばデータベース等）に記憶する。なお、登録用の記憶領域は、本体部２と通信可能な外部装置が備える形態としてもよい。
【００４７】
一方、読取部１０の制御部４０（ＣＰＵ）は、記憶部４３に記憶されたプログラムと協働することで、開閉状態取得部４０１と、リーダライタ制御部４０２と、通信制御部４０３とを機能部として実現する。
【００４８】
開閉状態取得部４０１は、開閉検出部４２と協働することで、扉１２が開状態にあるか閉状態にあるかを示す開閉状態情報を取得する。
【００４９】
リーダライタ制御部４０２は、リーダライタ部４１を制御することで、書類Ｄ１に付されたＲＦＩＤタグＴ１の読み取りと、当該ＲＦＩＤタグＴ１への書き込みを行う。
【００５０】
具体的に、リーダライタ制御部４０２は、書類読取装置１から読み取り開始が指示され、且つ開閉状態取得部４０１が取得した開閉状態情報が扉１２の閉状態を示す場合に、読み取りを開始する。
【００５１】
また、リーダライタ制御部４０２は、本体部２から読み取り終了が指示されると、リーダライタ部４１による読み取りを終了する。そして、リーダライタ制御部４０２は、本体部２から登録完了が指示されると、リーダライタ部４１を制御し登録済フラグの書き込みを開始する。ここで、登録済フラグは、書類登録が完了したことを示す情報であって、ＲＦＩＤタグＴ１が有する所定の記憶領域に書き込まれるものとする。
【００５２】
さらに、リーダライタ制御部４０２は、ＲＦＩＤタグＴ１の読み取りを開始してから登録済フラグを書き込むまでの間に、扉１２が開状態となった場合、読み取りを終了し、それまでに読み込んだ書類コードをリセットするリセット処理を実行する。このリセット処理により、書類読取装置１に送信（登録）された書類コードもリセットが行われるものとする。そして、リーダライタ制御部４０２は、扉１２が再び閉状態になったことを確認すると、ＲＦＩＤタグＴ１の読み取りを再度実行する。
【００５３】
これにより、登録済フラグの書き込み前に、ＲＦＩＤタグＴ１が読取済の書類Ｄ１が収納室１４から抜き取られた場合や、ＲＦＩＤタグＴ１が未読取の書類Ｄ１が収納室１４内に追加された場合であっても、収納室１４内の書類Ｄ１を確実に読み取ることができる。なお、扉１２が開状態となったことを本体部２に通知することで、本体部２のディスプレイ３ｂに、扉１２が開状態であることを報知する画面を表示させる形態としてもよい。
【００５４】
通信制御部４０３は、通信Ｉ／Ｆ４４を制御し、当該通信Ｉ／Ｆ４４を介して本体部２との間で各種の情報を送受信する。例えば、通信制御部４０３は、本体部２から送信された読取開始を指示する指示情報を受信する。また、通信制御部４０３は、リーダライタ制御部４０２がＲＦＩＤタグＴ１から読み取った書類コードを、本体部２に送信する。また、通信制御部４０３は、本体部２から送信された読取終了を指示する指示情報を受信する。また、通信制御部４０３は、本体部２から送信された登録完了を指示する指示情報を受信する。
【００５５】
次に、書類読取装置１の動作について説明する。図６は、本体部２及び読取部１０の動作例を説明するためのフローチャートである。
【００５６】
書類読取装置１を使用するユーザは、読取部１０の扉１２を開け、書類Ｄ１を収納室１４内に収容する。次いで、ユーザは、本体部２のディスプレイ３ｂに表示された読取開始ボタンを操作することで、本処理が開始される。
【００５７】
本体部２では、入力受付部３０２が読取開始ボタンの操作を受け付けると、通信制御部３０３は、読み取り開始を指示する指示情報を読取部１０に送信する（ステップＳ１１）。
【００５８】
読取部１０では、通信制御部４０３が読み取り開始を指示する指示情報を受信すると、リーダライタ制御部４０２は、開閉状態取得部４０１が取得した開閉状態情報に基づき、扉１２が閉状態にあるか否かを判定する（ステップＳ２１）。ここで、リーダライタ制御部４０２は、扉１２が開状態にあると判定すると、当該扉１２が閉状態となるまで待機する（ステップＳ２１；Ｎｏ）。なお、ステップＳ２１の待機時に、リーダライタ制御部４０２が本体部２の表示制御部３０１と協働することで、扉１２を閉じることを促す画面を表示させる形態としてもよい。
【００５９】
ステップＳ２１において、扉１２が閉状態にあると判定すると（ステップＳ２１；Ｙｅｓ）、リーダライタ制御部４０２は、ＲＦＩＤタグＴ１の読み取りを開始する（ステップＳ２２）。次いで、リーダライタ部４１は、ＲＦＩＤタグＴ１から書類コードを読み取ったか否かを判定する（ステップＳ２３）。ここで、書類コードが読み取れない場合（ステップＳ２３；Ｎｏ）、ステップＳ２５に移行する。
【００６０】
また、書類コードが読み取られた場合（ステップＳ２３；Ｙｅｓ）、通信制御部４０３は、その書類コードを本体部２に順次送信し（ステップＳ２４）、ステップＳ２５に移行する。
【００６１】
続くステップＳ２５において、リーダライタ制御部４０２は、開閉状態取得部４０１が取得する開閉状態情報に基づき、扉１２が閉状態にあるか否かを判定する（ステップＳ２５）。開状態にあると判定した場合（ステップＳ２５；Ｎｏ）、リーダライタ制御部４０２は、ＲＦＩＤタグＴ１の読み取りを停止する（ステップＳ２６）。そして、リーダライタ制御部４０２は、これまでに読み取った書類コードをリセットするリセット処理を行い（ステップＳ２７）、ステップＳ２１に再び戻る。係るリセット処理により、本体部２に送信され、登録された書類コードもリセットが行われるものとする。
【００６２】
また、ステップＳ２５において、閉状態にあると判定した場合（ステップＳ２５；Ｙｅｓ）、リーダライタ制御部４０２は、本体部２から読み取りの終了が指示されたか否かを判定する（ステップＳ２８）。ここで、読み取り終了の指示がない場合には（ステップＳ２８；Ｎｏ）、ステップＳ２３に戻る。
【００６３】
なお、収納室１４が空の状態でＲＦＩＤタグＴ１の読み取りが開始されたような場合には、ＲＦＩＤタグＴ１が一つも読み取れないままステップＳ２３；Ｎｏ→Ｓ２５；Ｙｅｓ→Ｓ２８；Ｎｏのループが続くことになる。そこで、このような状態を回避するため、ＲＦＩＤタグＴ１が一つも読み取れないまま、所定時間（例えば５秒）が経過した場合や、上記のループを所定回数実行した場合には、ＲＦＩＤタグＴ１の読み取りを強制的に終了させてもよい。また、この場合、リーダライタ制御部４０２は、本体部２の表示制御部３０１と協働することで、ＲＦＩＤタグＴ１を読み取ることができない旨のメッセージを表示させることが好ましい。
【００６４】
本体部２では、通信制御部３０３が読取部１０から書類コードを受信すると、表示制御部３０１は、その書類コードをディスプレイ３ｂに表示する（ステップＳ１２）。
【００６５】
本体部２を操作するユーザは、ディスプレイ３ｂに表示された書類コードを参照し、収納室１４に入れた全ての書類Ｄ１の書類コードが表示されたことを確認すると、そのディスプレイ３ｂに表示された読取終了ボタンを操作する。そして、入力受付部３０２が読取終了ボタンの操作を受け付けると、通信制御部３０３は、読み取り終了を指示する指示情報を読取部１０に送信する（ステップＳ１３）。
【００６６】
読取部１０では、通信制御部４０３が読み取り終了を指示する指示情報を受信すると、リーダライタ制御部４０２は、読み取りの終了が指示されたと判定する（ステップＳ２８；Ｙｅｓ）。次いで、リーダライタ制御部４０２は、ＲＦＩＤタグＴ１の読み取りを停止する（ステップＳ２９）。
【００６７】
続いて、リーダライタ制御部４０２は、本体部２から登録完了が指示されたか否かを判定する（ステップＳ３０）。登録完了の指示がない場合（ステップＳ３０；Ｎｏ）、リーダライタ制御部４０２は、開閉状態取得部４０１が取得する開閉状態情報に基づき、扉１２が閉状態にあるか否かを判定する（ステップＳ３１）。
【００６８】
ここで、閉状態にあると判定した場合（ステップＳ３１；Ｙｅｓ）、ステップＳ３０に戻る。また、開状態にあると判定した場合（ステップＳ３１；Ｎｏ）、リーダライタ制御部４０２は、ステップＳ２７と同様のリセット処理を行い（ステップＳ３２）、ステップＳ２１に再び戻る。
【００６９】
本体部２では、書類登録部３０４が、表示された各書類コードについて登録処理を行う（ステップＳ１４）。そして、通信制御部３０３は、登録完了を指示する指示情報を読取部１０に送信し（ステップＳ１５）、処理を終了する。
【００７０】
読取部１０では、通信制御部４０３が登録完了を指示する指示情報を受信すると、リーダライタ制御部４０２は、登録完了が指示されたと判定する（ステップＳ３０；Ｙｅｓ）。そして、リーダライタ制御部４０２は、リーダライタ部４１を制御することで、各書類Ｄ１のＲＦＩＤタグＴ１に登録済フラグを書き込み（ステップＳ３３）、本処理を終了する。
【００７１】
なお、登録済フラグを書き込み中の間、リーダライタ制御部４０２が本体部２の表示制御部３０１と協働することで、扉１２を閉じたままでいることを伝える画面を表示させる形態としてもよい。また、登録済フラグの書き込みが終了した場合に、リーダライタ制御部４０２が本体部２の表示制御部３０１と協働することで、扉１２を開けることを促す画面を表示させる形態としてもよい。
【００７２】
以上のように、読取部１０によれば、読み取りの対象となる書類Ｄ１を収納室１４に収容し、扉１２を閉状態とすることで、ユーザ等が存在する空間と切り離した状態で、書類Ｄ１の各々に付されたＲＦＩＤタグＴ１の読み取りを一括で行うことができる。また、読取部１０によれば、ＲＦＩＤアンテナ１６の電波が及ぶ範囲を筐体１１内に制限することができるため、ＲＦＩＤタグＴ１の読み取りを効率的に行うことができる。
【００７３】
［第２の実施形態］
次に、第２の実施形態について説明する。上述した第１の実施形態では、開閉検出部４２として、スイッチ２１を用いた例を説明した。第２の実施形態では、開閉検出部４２として、光センサを用いた例について説明する。なお、第１の実施形態と同様の要素については、同一の符号を付与し説明を省略する。
【００７４】
図７は、第２の実施形態に係る読取部１０ａの概略構成を示す外観斜視図である。図７は、読取部１０ａの扉１２を開けた開状態を示している。なお、読取部１０ａの扉１２を閉じた閉状態は、上述した図２（ｂ）と同様となる。
【００７５】
図７に示すように、扉１２の閉状態時に当該扉１２と接する又は近接する筐体１１の部位には、扉１２の開閉状態を検知するための開閉検出機構５０が設けられる。より詳細には、開閉検出機構５０は、扉１２の閉状態において、この扉１２に接する又は近接する筐体１１の部位（縁部）に設けられる。以下、図７、図８及び図９を参照して、開閉検出機構５０の構成について説明する。
【００７６】
図８及び図９は、開閉検出機構５０の概略構成を示す図である。ここで、図８は、開閉検出機構５０を図７中Ｙ方向から見た部分斜視図を示している。また、図９は、開閉検出機構５０を図７中Ｘ方向から見た、図８のＡ−Ａラインでの部分断面図を示している。なお、図８では、開閉検出機構５０の正面側に位置する筐体１１の壁面を、開閉検出機構５０の形状にあわせて矩形状で表している。
【００７７】
図８、図９に示すように、開閉検出機構５０は、扉１２の開閉状態を検出する開閉検出部として、光センサ５１を備える。光センサ５１は、例えばフォトダイオード等の光検出器である。光センサ５１は、筐体１１の内側に設けられ、図示しない回路基板とワイヤハーネス５２（図９参照）により接続される。また、筐体１１には、光センサ５１に対向する位置に、外光を取り入れるためのスリット状の穴（長穴）５３が設けられる。
【００７８】
上記の構成において、扉１２が閉じられると、扉１２は、図９の矢印方向（左方向）に移動し、穴５３を覆うことで、光センサ５１が置かれた領域を暗状態とする。また、扉１２が開けられると、扉１２は、図９の右方向に移動し、穴５３を解放することで、光センサ５１が置かれた領域を明状態とする。光センサ５１は、扉１２の移動に伴う明／暗の切り替えに基づき、扉１２の開閉状態を検出する。具体的には、光センサ５１は、明から暗に切り替わったことを条件に、扉１２の閉状態を示す信号を、ワイヤハーネス５２を介して回路基板に出力する。また、光センサ５１は、暗から明に切り替わったことを条件に、扉１２の開状態を示す信号を、ワイヤハーネス５２を介して回路基板に出力する。
【００７９】
ところで、上記の構成では、ＲＦＩＤアンテナ１６からの電波が筐体１１の穴５３を通じて、筐体１１（読取部１０ａ）の外部に漏洩する可能性がある。また、筐体１１（読取部１０ａ）の外部の電波が、筐体１１の穴５３を通じて、筐体１１（読取部１０ａ）の内部に侵入する可能性がある。このような、電波の漏洩及び侵入は、自他の読取装置において、ＲＦＩＤタグＴ１の誤読や誤動作等の発生要因となる。
【００８０】
そこで、本実施形態の開閉検出機構５０は、光センサ５１が設けられる部位において、筐体１１の内部から外部へ漏洩する電波及び筐体１１の外部から内部へ侵入する電波を遮蔽する遮蔽部を備える。
【００８１】
具体的には、開閉検出機構５０は、遮蔽部として、光センサ５１及び穴５３の周囲を覆うカバー部５４（構造体）を備えている。カバー部５４は、電波反射材又は電波吸収材で形成され、ネジ止めや溶接等により筐体１１の内壁に隙間なく接続される。なお、図８、図９では、カバー部５４の形状を箱状としたが、これに限らず、ドーム状等としてもよい。
【００８２】
また、カバー部５４には、ワイヤハーネス５２を通すための穴５５が設けられる。ここで、穴５５の大きさは特に問わず、例えばワイヤハーネス５２の径に応じた大きさとしてもよい。なお、この場合には、ワイヤハーネス２２と穴５５との間の間隙は、電波（電磁）シールド性を有する導電性材料で充填することが好ましい。これにより、穴５５を通じて、漏洩及び侵入する電波を防ぐことができる。
【００８３】
また、穴５５は、図８や図９に示すように、穴５３と同様のスリット状の長穴としてもよい。このように、穴５３及び穴５５を長穴で形成する場合、開閉検出機構５０（穴５３）の正面方向（Ｙ方向）から見て、長穴の長辺が互いに直交するよう配置することが好ましい。このように、穴５３及び穴５５の長辺が互いに直交するよう配置することで、電波の垂直偏波及び水平偏波を取り除くフィルターとして機能させることができる。これにより、穴５３及び穴５５を通じて、筐体１１内から漏洩する電波及び筐体１１外から侵入する電波を効率的に低減させることができる。
【００８４】
なお、穴５３及び穴５５の大きさや形状は、ＲＦＩＤアンテナ１６が出射する電波の特性（波長等）に応じて、低減効果が最適となるよう設計（形成）することが好ましい。また、筐体１１及びカバー部５４で形成される空間の形状や大きさも、ＲＦＩＤアンテナ１６が出射する電波の特性（波長等）に応じて、低減効果が最適となるよう設計（形成）することが好ましい。
【００８５】
また、本実施形態では、穴５３を空隙としたが、この穴５３に光透過性のフィルムやシート等（以下、総称して光透過性フィルムという）を取り付けてもよい。この場合、光透過性フィルムは、電波の減衰量が高い電波吸収特性を有するフィルムやシートを用いることが好ましい。これにより、穴５３を通じて、筐体１１内から漏洩する電波及び筐体１１外から侵入する電波を効率的に低減させることができる。
【００８６】
［第３の実施形態］
次に、第３の実施形態について説明する。第３の実施形態では、開閉検出部４２として、磁気センサを用いた例について説明する。なお、第１の実施形態と同様の要素については、同一の符号を付与し説明を省略する。
【００８７】
図１０は、第３の実施形態に係る読取部１０ｂの概略構成を示す外観斜視図である。図１０は、読取部１０ｂの扉１２を開けた開状態を示している。なお、読取部１０ｂの扉１２を閉じた閉状態は、上述した図２（ｂ）と同様となる。
【００８８】
図１０に示すように、扉１２の閉状態時に当該扉１２と接する又は近接する筐体１１の部位には、扉１２の開閉状態を検知するための開閉検出機構６０が設けられる。より詳細には、開閉検出機構６０は、扉１２の閉状態において、この扉１２に接する又は近接する筐体１１の部位（縁部）と、当該縁部に対向する扉１２の部位とに設けられる。以下、図１０及び図１１を参照して、開閉検出機構６０の構成について説明する。
【００８９】
図１１は、開閉検出機構６０の概略構成を示す図である。ここで、図１１は、開閉検出機構６０を、図１０の図中Ｘ方向から見た部分断面図を示している。
【００９０】
図１１に示すように、開閉検出機構６０は、扉１２の開閉状態を検出する開閉検出部４２として、磁気センサ６１を備える。磁気センサ６１は、磁場の大きさを検出する例えばコイルやホール素子等のセンサ装置である。磁気センサ６１は、筐体１１の内側に設けられ、図示しない回路基板とワイヤハーネス６２により接続される。また、扉１２には、当該扉１２の閉状態において、筐体１１の磁気センサ６１に対向する位置にマグネット６３が埋め込まれている。
【００９１】
上記の構成において、扉１２が閉じられると、扉１２に埋設されたマグネット６３は、図中矢印方向（左方向）に移動し、磁気センサ６１に近づくことで当該磁気センサ６１に作用する磁場の大きさが増加する。また、扉１２が開けられると、扉１２に埋設されたマグネット６３は、図中右方向に移動し、磁気センサ６１から離れることで当該磁気センサ６１に作用する磁場の大きさが低下する。磁気センサ６１は、磁場の増減に基づき、扉１２の開閉状態を検出する。具体的には、磁気センサ６１は、磁場の大きさが所定の第１レベルに達したことを条件に、扉１２の閉状態を示す信号を、ワイヤハーネス６２を介して回路基板に出力する。また、磁気センサ６１は、磁場の大きさが所定の第２レベル（但し第１レベル＞第２レベル）に達したことを条件に、扉１２の開状態を示す信号を、ワイヤハーネス６２を介して回路基板に出力する。
【００９２】
また、開閉検出機構６０は、磁気センサ６１が設けられる部位において、筐体１１の内部から外部へ漏洩する電波及び筐体１１の外部から内部へ侵入する電波を遮蔽する遮蔽部を備える。具体的には、遮蔽部は、電波反射材又は電波吸収材で形成された、磁気センサ６１に対向する筐体１１の壁面６４に対応する。
【００９３】
本実施形態の開閉検出機構６０では、上述した第１の実施形態及び第２の実施形態と異なり、磁気センサ６１の前面は壁面６４により遮蔽される。したがって、本実施形態の読取部１０ｂは、磁気センサ６１が設置された部位において、筐体１１内から漏洩する電波及び筐体１１外から侵入する電波を防ぐことができる。
【００９４】
以上、本発明の実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、組み合わせ、変更を行うことができる。これらの実施形態やその変形は、発明の範囲や要旨に含まれるとともに、特許請求の範囲に記載された発明とその均等の範囲に含まれる。
【００９５】
例えば、上記実施形態では、開閉検出部４２（スイッチ２１、光センサ５１、磁気センサ６１）を設置する部位を、載置面１５の下方の筐体１１の縁部としたが、これに限らないものとする。具体的には、扉１２の閉状態時に当該扉１２と接する又は近接する部位であればその位置は問わず、筐体１１の上方や左右の縁部としてもよい。
【００９６】
また、上記実施形態では、ユーザからの操作指示に応じてＲＦＩＤタグＴ１の読み取りを開始する形態としたが、これに限らないものとする。他の形態としては、例えば、ユーザからの操作指示を要さずに、扉１２が閉状態に切り替わるのに連動してＲＦＩＤタグＴ１の読み取りを自動的に開始する形態としてもよい。
【００９７】
また、上記実施形態では、ＲＦＩＤタグＴ１の読み取りを開始してから登録済フラグを書き込むまでの間に、扉１２が開状態となった場合には、読み取りを終了してリセット処理を実行する形態としたが、これに限らないものとする。他の形態としては、例えば、読取部１０の筐体１１と扉１２との接触部分に、扉１２の閉状態を保持（ロック）するためのロック機構を設け、扉１２が開けられないよう制御してもよい。具体的には、ＲＦＩＤタグＴ１の読み取りを開始してから登録済フラグを書き込むまでの間は、リーダライタ制御部４０２がロック機構を制御することで、扉１２が開けられないよう閉状態を保持する。これにより、登録済フラグの書き込み前に、ＲＦＩＤタグＴ１が読取済の書類Ｄ１が収納室１４から抜き取られることや、ＲＦＩＤタグＴ１が未読取の書類Ｄ１が収納室１４内に追加されてしまうことを未然に防ぐことができる。
【００９８】
また、上記実施形態では、ユーザからの終了指示に応じてＲＦＩＤタグＴ１の読み取りを終了する形態としたが、これに限らないものとする。他の形態としては、例えば、ユーザから指示された個数分のＲＦＩＤタグＴ１を読み取ると、その読み取りを自動的に終了する形態としてもよい。
【００９９】
また、上記実施形態では、読取部１０が読み取る対象（物品）を書類としたが、これに限らず、他の物品であってもよい。
【符号の説明】
【０１００】
１  書類読取装置
２  本体部
１０、１０ａ、１０ｂ  読取部
１１  筐体
１２  扉
１３  開口部
１４  収納室
１５  載置面
１６  ＲＦＩＤアンテナ
２０  開閉検出機構
２１  スイッチ
２２  ワイヤハーネス
２３  穴
２４  凸部
２５  カバー部
２６  穴
５０  開閉検出機構
５１  光センサ
５２  ワイヤハーネス
５３  穴
５４  カバー部
５５  穴
６０  開閉検出機構
６１  磁気センサ
６２  ワイヤハーネス
６３  マグネット
６４  壁面
【先行技術文献】
【特許文献】
【０１０１】
【特許文献１】特開２００５−２６７０７５号公報
【図１】
2018014034.tif 000003
【図２】
2018014034.tif 000004
【図３】
2018014034.tif 000005
【図４】
2018014034.tif 000006
【図５】
2018014034.tif 000007
【図６】
2018014034.tif 000008
【図７】
2018014034.tif 000009
【図８】
2018014034.tif 000010
【図９】
2018014034.tif 000011
【図１０】
2018014034.tif 000012
【図１１】
2018014034.tif 000013